(57)【特許請求の範囲】
【請求項１】
洋風便器本体と、該洋風便器本体の後部に設けられ、人体の局部を洗浄可能な局部洗浄機構と、該洋風便器本体の後部で該局部洗浄機構の後方に設けられ、該洋風便器本体を洗浄水により洗浄可能な便器洗浄機構とを備えた洋風水洗式便器において、
前記局部洗浄機構は主としてフロントベースプレートを介して前記洋風便器本体に取り付けられ、前記便器洗浄機構はリアベースプレートを介して該洋風便器本体に取り付けられ、該局部洗浄機構及び該便器洗浄機構は該フロントベースプレートに固定された本体カバー内に内装され、該フロントベースプレートは該本体カバーとともに少なくとも該洋風便器本体の鉢面後方を露出すべく上昇可能であり、該フロントベースプレートと該リアベースプレートとを互いに固定及び離反可能なロック機構をさらに備えていることを特徴とする洋風水洗式便器。
【請求項２】
便器洗浄機構は手動により洗浄水を洋風便器本体に供給可能であるとともに着脱可能な手動ハンドルを有し、該手動ハンドルは、装着時にフロントベースプレートとリアベースプレートとを固定し、非装着時に該フロントベースプレートと該リアベースプレートとを離反するロック機構とされていることを特徴とする請求項１記載の洋風水洗式便器。
【請求項３】
ロック機構は、互いに対向して延びる下片と上片とでフロントベースプレートとリアベースプレートとを固定できるフックを含むことを特徴とする請求項１記載の洋風水洗式便器。
【請求項４】
フックには指を掛け得る指掛けが設けられていることを特徴とする請求項３記載の洋風水洗式便器。
【請求項５】
ロック機構は、フロントベースプレート及びリアベースプレートに凹設された溝に同時に係合される軸部をもつキーであることを特徴とする請求項１記載の洋風水洗式便器。
【請求項６】
キーには指を挿入可能な指掛けが設けられていることを特徴とする請求項５記載の洋風水洗式便器。
【発明の詳細な説明】
【０００１】
【発明が属する技術分野】
本発明は洋風水洗式便器に関する。
【０００２】
【従来の技術】
従来、陶磁器製の洋風便器本体と、この洋風便器本体の後部に設けられた局部洗浄機構及び便器洗浄機構とを備えた洋風水洗式便器が知られている。
【０００３】
局部洗浄機構をもつ公知の例えばシャワートイレは、洋風便器本体に取り付けられるベースプレートと、このベースプレート上に固定された局部洗浄機構を構成する各部品と、各部品を内装する本体カバーと、本体カバーに揺動可能に設けられた暖房便座と、本体カバーに揺動可能に設けられた便蓋とからなる。かかるシャワートイレは、各部品の協働作用により、暖房便座を介して着座した人の局部を洗浄可能であるという機能を洋風便器本体に付与することができる。
【０００４】
また、近年のシャワートイレは、少なくとも洋風便器本体の鉢面後方を露出すべく上昇可能に設けられている。かかるシャワートイレでは、上昇されることにより、少なくとも洋風便器本体の鉢面後方を露出し、これによりそこの汚れを水洗い等で容易に清掃できるようになっている。
【０００５】
他方、従来の便器洗浄機構としては、洋風便器本体の後部でシャワートイレの後方に設けられるロータンク等が一般的である。この便器洗浄機構は、ロータンクに貯留した洗浄水を洋風便器本体に吐出可能になっており、これにより洋風便器本体を洗浄できるようになっている。
【０００６】
【発明が解決しようとする課題】
しかし、上記従来の洋風水洗式便器では、便器洗浄機構が局部洗浄機構とは別体であることから、工場で製造された後の梱包又は配送が面倒であり、出荷にコストを要してしまう。
【０００７】
この点、便器洗浄機構と局部洗浄機構とを単一のベースプレート上に固定してこれらを一体とすることも考えられる。こうであれば、これら便器洗浄機構及び局部洗浄機構を一度に梱包又は配送することができるため、出荷コストの低廉化を実現できる。
【０００８】
しかしながら、こうして便器洗浄機構と局部洗浄機構とを一体とした洋風水洗式便器では、工場内で単一のベースプレート上にこれらを組み付けなければならないことから、全体として大容積化及び大重量化し、組み付け作業性及び搬送性に欠けることとなってしまう。
【０００９】
本発明は、上記従来の実情に鑑みてなされたものであって、工場内での組み付け作業性及び搬送性を高めつつ、出荷コストの低廉化を実現可能な洋風水洗式便器を提供することを解決すべき課題としている。
【００１０】
【課題を解決するための手段】
本発明の洋風水洗式便器は、洋風便器本体と、該洋風便器本体の後部に設けられ、人体の局部を洗浄可能な局部洗浄機構と、該洋風便器本体の後部で該局部洗浄機構の後方に設けられ、該洋風便器本体を洗浄水により洗浄可能な便器洗浄機構とを備えた洋風水洗式便器において、
【００１１】
前記局部洗浄機構は主としてフロントベースプレートを介して前記洋風便器本体に取り付けられ、前記便器洗浄機構はリアベースプレートを介して該洋風便器本体に取り付けられ、該局部洗浄機構及び該便器洗浄機構は該フロントベースプレートに固定された本体カバー内に内装され、該フロントベースプレートは該本体カバーとともに少なくとも該洋風便器本体の鉢面後方を露出すべく上昇可能であり、該フロントベースプレートと該リアベースプレートとを互いに固定及び離反可能なロック機構をさらに備えていることを特徴とする。
【００１２】
本発明の洋風水洗式便器では、局部洗浄機構が主としてフロントベースプレート上に固定されている一方、便器洗浄機構がリアベースプレート上に固定されているが、これらフロントベースプレートとリアベースプレートとがロック機構により固定されておれば、局部洗浄機構と便器洗浄機構とは一体となる。このため、この状態で便器洗浄機構及び局部洗浄機構を一度に梱包又は配送することができるため、出荷コストの低廉化を実現できる。
【００１３】
また、この洋風水洗式便器では、工場内において、ロック機構によりリアベースプレートと離反されたフロントベースプレート上に局部洗浄機構を組み付け、ロック機構によりフロントベースプレートと離反されたリアベースプレート上に便器洗浄機構を組み付けることができる。このため、全体として小容積化及び小重量化し、組み付け作業性及び搬送性に優れる。
【００１４】
したがって、本発明の洋風水洗式便器では、工場内での組み付け作業性及び搬送性を高めつつ、出荷コストの低廉化を実現することができる。このため、こうして得られる洋風水洗式便器は安価なものとなる。
【００１５】
ロック機構は床面への施工時にフロントベースプレートとリアベースプレートとを固定するものであることが好ましい。こうであれば、洋風便器本体の後部に局部洗浄機構及び便器洗浄機構を一度に設けることができることから、床面への施工性が向上する。
【００１６】
ロック機構は床面への施工後はフロントベースプレートとリアベースプレートとを離反するものであることが好ましい。こうであれば、局部洗浄機構だけを上昇させることが可能となり、使用後における洋風便器本体の鉢面後方の清掃性を高めることができる。
【００１７】
ロック機構は、フロントベースプレートとリアベースプレートとを離反した後、フロントベースプレートとリアベースプレートとを再度固定可能なものであることが好ましい。こうであれば、一旦床面に施工した後の点検や修理が便宜であり、また移転等を行う場合も便宜である。
【００１８】
便器洗浄機構が手動により洗浄水を洋風便器本体に供給可能であるとともに着脱可能な手動ハンドルを有する場合、この手動ハンドルは、装着時にフロントベースプレートとリアベースプレートとを固定し、非装着時にフロントベースプレートとリアベースプレートとを離反するロック機構とされ得る。こうであれば、特別なロック機構を採用する必要がないことから、さらなる低コストを実現できる。
【００１９】
【発明の実施の形態】
以下、本発明を具体化した実施形態１〜３を図面を参照しつつ説明する。
【００２０】
（実施形態１）
実施形態１の洋風水洗式便器は、図１に示すように、陶磁器製の洋風便器本体１と、この洋風便器本体１の後部に設けられたシャワートイレ２を備えている。
【００２１】
シャワートイレ２は、図２に示すように、フロントベースプレート３ａと、このフロントベースプレート３ａ上に固定されたノズル等の局部洗浄機構３ｂと、局部洗浄機構３ｂを内装する本体カバー３ｄと、図１に示すように、本体カバー３ｄに揺動可能に設けられた暖房便座３ｅと、本体カバー３ｄに揺動可能に設けられた便蓋３ｆとを有している。本体カバー３ｄの両側には開口３ｈが形成されており、各開口３ｈ内にはフロントベースプレート３ａと局部洗浄機構３ｂとの間で後述するフック６の上片６ａを挿入可能な挿入口３ｉが形成されている。
【００２２】
また、このシャワートイレ２は、図３に示すように、リアベースプレート４ａと、このリアベースプレート４ａ上に固定された局部洗浄機構３ｂの残部を構成する温水タンク３ｃと、リアベースプレート４ａ上に固定されたバルブ等の便器洗浄機構４ｃと、リアベースプレート４ａ上に固定され、フロントベースプレート３ａをリアベースプレート４ａに対して昇降可能に設ける図示しない昇降機構とを有している。なお、リアベースプレート４ａの水平方向の全周囲には、温水タンク３ｃ、便器洗浄機構４ｃ及び昇降機構を囲包する隠蔽部材５が立設されている。
【００２３】
リアベースプレート４ａの両側には両側に開くガイド穴４ｅが凹設されており、各ガイド穴４ｅ内にはフック６が水平摺動可能に設けられている。各フック６は、図４及び図５に示すように、略コ字形状をなしており、ガイド穴４ｅ内に挿入される長い下片６ｂと、この下片６ｂと対面して短く延在する上片６ａとを有し、下片６ｂの付け根には指等を掛け得る半円柱状の指掛け６ｃが突設されている。リアベースプレート４ａの各ガイド穴４ｅの両側面には凹部４ｂが凹設され、各フック６の下片６ｂの両側面には各凸部４ｂと整合する凸部６ｄが突設されている。こうしてロック機構が構成されている。
【００２４】
かかる温水タンク３ｃ、便器洗浄機構４ｃ等をもつリアベースプレート４ａは、一対のボルト取付穴４ｄに図示しないボルトが挿通され、これらのボルトが洋風便器本体１に貫設された図示しない便座取付け穴に挿通されて図示しないナットが締結されることにより固定される。フロントベースプレート３ａは、図６に示すように、局部洗浄機構３ｂ、本体カバー３ｄ、暖房便座３ｅ及び便蓋３ｆとともに、昇降機構によりリアベースプレート４ａに対して垂直に昇降可能になっている。図１に示すように、フロントベースプレート３ａ等が下降している際、温水タンク３ｃ、便器洗浄機構４ｃ等は本体カバー３ｄにより内装されている。
【００２５】
かかるシャワートイレ２を備えた洋風水洗式便器では、局部洗浄機構３ｂが主としてフロントベースプレート３ａ上に固定されている一方、便器洗浄機構４ｃがリアベースプレート４ａ上に固定されている。ここで、図４に示すように、両フック６が押し込められ、各凸部６ｄがリアベースプレート４ａの各凹部４ｂに係合した状態とされておれば、各下片６ｂと各上片６ａとでフロントベースプレート３ａとリアベースプレート４ａとを固定できる。このため、この場合には、局部洗浄機構３ｂと便器洗浄機構４ｃとは一体となり、この状態で便器洗浄機構４ｃ及び局部洗浄機構３ｂを一度に梱包及び配送することができるため、出荷コストの低廉化を実現できる。
【００２６】
また、この洋風水洗式便器は、工場内においては、図５に示すように、両フック６を引き出した状態でリアベースプレート４ａと離反されたフロントベースプレート３ａ上に局部洗浄機構３ｂを組み付け、同様に両フック６を引き出した状態でフロントベースプレート３ａと離反されたリアベースプレート４ａ上に便器洗浄機構４ｃを組み付けることができる。このため、全体として小容積化及び小重量化し、組み付け作業性及び搬送性に優れる。
【００２７】
したがって、この洋風水洗式便器では、工場内での組み付け作業性及び搬送性を高めつつ、出荷コストの低廉化を実現することができる。このため、こうして得られる洋風水洗式便器は安価なものとなる。
【００２８】
また、床面への施工時、図４に示すように、両フック６を指等により押し込み、フロントベースプレート３ａとリアベースプレート４ａとを固定する。これにより、洋風便器本体１の後部に局部洗浄機構３ｂ及び便器洗浄機構４ｃを一度に設けることができることから、床面への施工性が向上する。
【００２９】
床面に施工したこの洋風水洗式便器では、シャワートイレ２の局部洗浄機構３ｂにより、暖房便座３ｅを介して着座した人の局部を洗浄可能である。また、この洋風水洗式便器では、シャワートイレ２の便器洗浄機構４ｃにより、洋風便器本体１を洗浄可能である。
【００３０】
そして、床面への施工後は、図５に示すように、両フック６を指等により引き出し、フロントベースプレート３ａとリアベースプレート４ａとを離反する。これにより、図６に示すように、シャワートイレ２のフロントベースプレート３ａ等が昇降機構により上昇可能になっており、これにより洋風便器本体１の鉢面後方が露出するようになっている。このため、使用後における洋風便器本体１の鉢面後方の汚れを水洗い等で容易に清掃できる。
【００３１】
仮に、一旦床面に施工した後の点検や修理を行う場合又は洋風水洗式便器の移転等を行う場合、両フック６を指等により再度押し込み、フロントベースプレート３ａとリアベースプレート４ａとを再度固定する。これにより点検等の作業を便宜よく行うことができる。
【００３２】
（実施形態２）
実施形態２の洋風水洗式便器は、図７及び図８に示す本体カバー１２をもつシャワートイレを備えている。この本体カバー１２は、実施形態１と同様のフロントベースプレート３ａに固定されており、実施形態１と同様の局部洗浄機構３ｂ及び便器洗浄機構４ｃを内装している。
【００３３】
ここで、便器洗浄機構４ｃは手動により洗浄水を洋風便器本体１に供給可能な手動ハンドル１３を有している。この手動ハンドル１３は、図９に示すように、軸１３ａが本体カバー１２の開口１２ａを介して便器洗浄機構４ｃのモータ軸４ｆに着脱可能に設けられている。これらがロック機構を構成している。他の構成は実施形態１と同様である。
【００３４】
この洋風水洗式便器では、手動ハンドル１３の装着時には、図７に示すように、手動ハンドル１３の軸１３ａが本体カバー１２の上昇を防止するため、フロントベースプレート３ａとリアベースプレート４ａとを固定する。また、手動ハンドル１３の非装着時には、図８に示すように、フロントベースプレート３ａとリアベースプレート４ａとを離反する。
【００３５】
したがって、この洋風水洗式便器では、実施形態１のフック６等のような特別なロック機構を採用する必要がないことから、さらなる低コストを実現できる。他の作用効果は実施形態１と同様である。
【００３６】
（実施形態３）
実施形態３の洋風水洗式便器は、図１０に示すキー１４をロック機構として採用している。このキー１４は、指等を挿入可能なリング状をなす指掛け１４ａと、この指掛け１４ａから一方向に延在する軸部１４ｂと、軸部１４ｂの先端で矢印形状をなし、中央に軸方向に延びるスリット１４ｃを有する挿入部１４ｄとからなる。
【００３７】
リアベースプレート４ａの両側にはキー１４の軸部１４ｂと整合する上下に延びる溝４ｇが凹設され、フロントベースプレート３ａの両側には溝４ｇ及びキー１４の軸部１４ｂと整合する上下に延びる溝３ｇが凹設されている。溝４ｇと溝３ｇとの合計の長さはキー１４の軸部１４ｂの長さと等しくされている。こうしてロック機構が構成されている。他の構成は実施形態１と同様である。
【００３８】
この洋風水洗式便器では、工場内での組み付け時にはキー１４が溝４ｇ、３ｇに係合されず、優れた組み付け作業性及び搬送性を発揮する。また、梱包、配送及び施工時にはキー１４が溝４ｇ、３ｇに係合され、出荷コストの低廉化及び優れた施工性を発揮する。そして、施工後には、指等を指掛け１４ａに挿入してキー１４を溝４ｇ、３ｇから抜き取り、使用後における洋風便器本体１の鉢面後方の清掃性を高める。他の作用効果は実施形態１と同様である。
【図面の簡単な説明】
【図１】実施形態１の洋風水洗式便器に係り、シャワートイレ降下時の一部断面側面図である。
【図２】実施形態１の洋風水洗式便器に係り、シャワートイレの局部洗浄機構等を示す斜視図である。
【図３】実施形態１の洋風水洗式便器に係り、シャワートイレの便器洗浄機構等を示す斜視図である。
【図４】実施形態１の洋風水洗式便器に係り、固定時の要部断面図である。
【図５】実施形態１の洋風水洗式便器に係り、離反時の要部断面図である。
【図６】実施形態１の洋風水洗式便器に係り、シャワートイレ上昇時の一部断面側面図である。
【図７】実施形態２の洋風水洗式便器に係り、固定時におけるシャワートイレの一部省略斜視図である。
【図８】実施形態２の洋風水洗式便器に係り、離反時におけるシャワートイレの一部省略斜視図である。
【図９】実施形態２の洋風水洗式便器に係り、離反時の要部断面図である。
【図１０】実施形態３の洋風水洗式便器に係り、固定時の要部断面図である。
【図１】
0003776684.tif 000002
【図２】
0003776684.tif 000003
【図３】
0003776684.tif 000004
【図４】
0003776684.tif 000005
【図５】
0003776684.tif 000006
【図６】
0003776684.tif 000007
【図７】
0003776684.tif 000008
【図８】
0003776684.tif 000009
【図９】
0003776684.tif 000010
【図１０】
0003776684.tif 000011